(57)【要約】【課題】  棚板の底面に、棚板を框に係合するための框係合溝を備えるにも拘わらず、荷重による棚板の破損を確実に抑制する棚板支持構造を提供する。【解決手段】  棚板支持構造Ａは、板状の部材の縁部に沿って下方に開口した框係合溝７、及び框係合溝７より外側且つその頂面よりも下方に突出したフック部６を有する棚板１と、フック部６が挿入される棚板係合溝１１、棚板係合溝１１の底面よりも上方に突出し框係合溝７に挿入する突出部１２、及び棚板１の底面１４を支持する棚板支持部１３を、外側から内側に向かって順に形成した框１０とを備え、棚板１の底面１４に対する框係合溝７の頂面の高さＬ１は、棚板支持部１３に対する突出部１２の高さＭ１よりも高くし、棚板１の底面１４に対するフック部６の底面の高さＬ２は、棚板支持部１３に対する棚板係合溝１１の溝底の高さＭ２よりも高くする。【選択図】          図１
2005054426.tif 000002
【特許請求の範囲】
【請求項１】
板状の部材からなり、該部材の縁部に沿って下方に開口した框係合溝、及び該框係合溝よりも外側に形成され該框係合溝の頂面よりも下方に突出したフック部を有する棚板と、
該棚板の一端側を支える部材であり、前記フック部が挿入される棚板係合溝、該棚板係合溝の溝底よりも上方に突出し前記框係合溝に挿入する突出部、及び前記棚板係合溝の溝底よりも下側に切欠かれ前記棚板の底面を支持する棚板支持部を、外側から内側に向かって順に形成した框と
を具備し、
前記棚板の底面に対する前記框係合溝の頂面の高さを、前記棚板支持部に対する前記突出部の高さよりも高くし、
前記棚板の底面に対する前記フック部の底面の高さを、前記棚板支持部に対する前記棚板係合溝の溝底の高さよりも高くしたことを特徴とする棚板支持構造。
【請求項２】
前記棚板は、
軽量部材で形成された棚板本体と、
該棚板本体の上面及び底面を夫々被覆するとともに、前記棚板本体の端部から延出された薄板状の表面部材と、
前記棚板本体の端部に配設された剛性の連結部材とからなり、
該連結部材は、前記フック部及び前記棚板係合溝を有するとともに、前記表面部材を介して前記棚板支持部に載置される
ことを特徴とする請求項１に記載の棚板支持構造。
【発明の詳細な説明】
【技術分野】
【０００１】
本発明は、棚板支持構造に関し、特に押入れや収納庫等において、収容物を載置する棚板を、框に係合した状態で支持する棚板支持構造に関するものである。
【背景技術】
【０００２】
押入れや収納庫等で使われている棚板は、天井板と底板との間に配設され、框と呼ばれる化粧横木を用いて支持されている。この框としては、例えば棚板の前端側を支持する前框、及び、棚板の後端側を支持する後框から構成されている。また、棚板の前後方向への動きを規制するため、前框及び後框のいずれか一方の上面には上方に開口した溝が形成され、この溝に、棚板の端部に形成されたフック部を嵌め込む構造となっている。なお、前框は、押入れや収納庫を構成する左右の側壁に取付けられ、ビス等の締結具によって固定されている。
【０００３】
さらに詳しく説明すると、図６に示すように、棚板１２１と前框１３５と後框１３６とから構築された棚板支持構造Ｂが知られている。棚板１２１は、棚板本体１３１と、棚板本体１３１の上面を被覆する上面材１２３と、棚板本体１３１の下面を被覆する下面材１２４と、棚板本体１３１の前端側に取付けられた連結部材１２９ａと、棚板本体１３１の後端側に取付けられた補強材１２９ｂとから構成されている。特に、連結部材１２９ａの下面には、下方に開口した框係合溝１２５が形成されており、その外側には下方に突出するフック部１２８が形成されている。一方、前框１３５の上面には、フック部１２８が挿入される棚板係合溝１２７と、框係合溝１２５に挿入する突出部１２６とが形成されている。つまり、フック部１２８と棚板係合溝１２７、及び突出部１２６と框係合溝１２５との嵌め合せにより、棚板１２１の前後方向への移動を防止している。なお、棚板係合溝１２７の溝底に対する突出部１２６の上面の高さと、フック部１２８の底面に対する框係合溝１２５の頂面の高さとは等しくなるように設定されており、棚板１２１を支持する際には、板係合溝１２７とフック部１２８、及び框係合溝１２５と突出部１２６とが互いに当接するようになっている。
【０００４】
ところが、上記の棚板支持構造Ｂでは、棚板１２１の前端側が、突出部１２６の上面と棚板係合溝１２７の溝底とに支えられた格好で支持されていることから、棚板１２１の荷重は突出部１２６及び棚板係合溝１２７に集中していた。換言すれば、荷重に対する反作用として発生する力が、框係合溝１２５すなわち板厚が最も薄くなった部分に集中していた。この結果、重量の大きな収容物を載置した場合のように棚板１２１の荷重が大きい場合には、框係合溝１２５付近に大きな力が加わり、その部分を中心に亀裂が生じたり破損したりする恐れがあった。
【０００５】
そこで、図７に示すように、前框１４０によって棚板１４１の底面を支持する棚板支持構造Ｃが知られている。これは、係合する部分以外の領域に棚板支持部１４２を設けることにより、前框１４０の上面を、框係合溝１４３やフック部１４４のみだけではなく、棚板１４１の底面１４５にも当接させるものであり、荷重の反作用が発生する部位を分散させることを可能にしている。つまり、板厚が最も薄い框係合溝１４３に加わる力が軽減されるため、棚板１４１の破損を抑制することが可能になる。
【０００６】
出願人は、本願出願時において以上の従来技術が記載されている文献として以下のものを知見している。
【特許文献１】実開平３−２４５４３号公報
【特許文献２】特開平１０−３０３２９号公報
【発明の開示】
【発明が解決しようとする課題】
【０００７】
しかしながら、上記の棚板支持構造Ｃによれば、板厚が薄い部分に加わる力をある程度抑制することが可能となるが、その部分に加わる力の負担は避けることができず、荷重が極めて大きくなると、亀裂等が生じる恐れが残されていた。また、棚板１４１及び前框１４０が木材で形成されている場合には、加工精度に誤差が生じやすいことから、例えば棚板支持部１４２に対する突出部１４６の上面の高さが、棚板１４１の底面１４５に対する框係合溝１４３の頂面の高さよりも高くなる場合がある。この場合には、突出部１４６と框係合溝１４３の頂面とが当接し、棚板１４１の底面と棚板支持部１４２との間に隙間が生じた状態となる。すなわち、棚板１４１の荷重に対する力が全て框係合溝１４３に加わることとなり、棚板１４１の荷重が比較的軽量であっても、破損する恐れがあった。
【０００８】
そこで本発明はこの実情に鑑み、棚板の底面に、棚板を框に係合するための框係合溝を備えるにも拘わらず、荷重による棚板の破損を確実に抑制することが可能な棚板支持構造を提供するものである。
【課題を解決するための手段】
【０００９】
本発明にかかる棚板支持構造は、板状の部材からなり、該部材の縁部に沿って下方に開口した框係合溝、及び該框係合溝よりも外側に形成され該框係合溝の頂面よりも下方に突出したフック部を有する棚板と、該棚板の一端側を支える部材であり、前記フック部が挿入される棚板係合溝、該棚板係合溝の溝底よりも上方に突出し前記框係合溝に挿入する突出部、及び前記棚板係合溝の溝底よりも下側に切欠かれ前記棚板の底面を支持する棚板支持部を、外側から内側に向かって順に形成した框とを具備し、前記棚板の底面に対する前記框係合溝の頂面の高さを、前記棚板支持部に対する前記突出部の高さよりも高くし、前記棚板の底面に対する前記フック部の底面の高さを、前記棚板支持部に対する前記棚板係合溝の溝底の高さよりも高くしたものである。
【００１０】
この棚板支持構造によれば、棚板の一端側を框の上面に載せると、棚板の底面に形成されたフック部が框の棚板係合溝に挿入され、框の上面に形成された突出部が棚板の框係合溝に挿入される。これにより、棚板が水平方向（例えば前後方向）に移動しようとしても、夫々の係合溝に挿入されたフック部及び突出部によって動きが規制される。つまり、棚板は框に対して水平方向に係合された状態となる。一方、框には棚板の底面を支持する棚板支持部が形成されており、しかも棚板の底面に対する框係合溝の頂面の高さが、棚板支持部に対する突出部の上面の高さよりも高くなっている。つまり、棚板の底面が棚板支持部に当接した状態では、框係合溝の頂面と突出部の上面との間に隙間が生じることになる。また、棚板の底面に対するフック部の底面の高さが、棚板支持部に対する棚板係合溝の溝底の高さよりも高くなっている。つまり、棚板の底面が棚板支持部に当接した状態では、フック部の底面と棚板係合溝の溝底との間にも隙間が生じることになる。このため、棚板の荷重は全て棚板支持部に加わるようになり、その反作用によって棚板が受ける力は、全て棚板の底面すなわち最も板厚の厚い部分に加わるようになる。つまり、框係合溝が形成された部分、すなわち最も板厚の薄い部分には、荷重による力が加わらないため、その部分の破損を防止することが可能になる。
【００１１】
さらに、本発明にかかる棚板支持構造において「前記棚板は、軽量部材で形成された棚板本体と、該棚板本体の上面及び底面を夫々被覆するとともに、前記棚板本体の端部から延出された薄板状の表面部材と、前記棚板本体の端部に配設された剛性の連結部材とからなり、該連結部材は、前記フック部及び前記棚板係合溝を有するとともに、前記表面部材を介して前記棚板支持部に載置される」構成とすることができる。
【００１２】
この棚板支持構造によれば、棚板の端部に設けられた強固な連結部材が框に係合されるとともに、棚板支持部上に載置された状態で支持される。このため、荷重による棚板の破損を一層確実に防止することが可能になる。特に、棚板支持部と連結部材との間には、表面部材が介装され、しかもその表面部材はフック部及び棚板係合溝を除く略全面に亘って設けられているため、棚板が受ける荷重は、フック部及び棚板係合溝を除く部位（すなわち板厚の厚い部分）全体に分散される。したがって、荷重に対する負荷がさらに軽減され、耐久性を一層向上させることが可能になる。また、棚板本体はハニカム構造等からなる軽量部材で形成されているため、強度を維持しつつ軽量化を図ることが可能となる。つまり、棚板自体の重量が低減されるため、連結部材の負荷をより一層少なくすることができる。
【発明の効果】
【００１３】
本発明によれば、突出部と框係合溝との間、及び棚板係合溝とフック部との間に、隙間が形成される。したがって、これらの係合部分、すなわち構造上の理由から板厚が薄くなる部分に対して、荷重が加わることを確実に防止でき、棚板の耐久性を大幅に向上することができる。
【発明を実施するための最良の形態】
【００１４】
以下、本発明の第一実施形態である棚板支持構造Ａについて、図１乃至図３に基づき説明する。図１は棚板１と前框１０との係合状態を示す断面図であり、図２は棚板１と前框１０とを分解した状態を示す分解斜視図であり、図３は押入れ等の収納庫２１における要部の構成を示す斜視図である。
【００１５】
本発明の第一実施形態である棚板支持構造Ａは、主に、板状の棚板１と、棚板１の前端側を支持する前框１０と、棚板１の後端側を支持する後框２０とを具備している。これらは、いずれも木材で形成されており、押入れ等の収納庫２１における中段として使用される。
【００１６】
棚板１は、収納物を載置（または積載）するために設けられるものであり、軽量部材からなる棚板本体３と、棚板本体３の上面及び底面を夫々被覆する上面材２ａ及び下面材２ｂからなる表面部材２と、棚板本体３の前端側に配設された剛性の連結部材４とから構成されている。
【００１７】
さらに詳しく説明すると、棚板本体３は、ハニカムの筒面を厚さ方向に向けて配置したハニカム構造からなり、垂直方向に対して比較的高い強度を保持するとともに、棚板１の自重を軽量化することにより荷重に対する負荷を軽減している。
【００１８】
表面部材２は、ベニヤ板等から形成された薄板状の化粧板であり、棚板本体３の上面及び底面全体を被覆するとともに、前側部分では棚板本体３の端部から前方（図１では紙面右側）に延出されている。つまり、表面部材２は、棚板本体３の前端側に配設された連結部材４の上面及び底面も被覆するように設けられている。ただし、底面を被覆する下面材２ｂは、上面を被覆する上面材２ａよりも短くなっており、連結部材４のうち係合に係る部分（後述する）に対しては設けられていない。
【００１９】
連結部材４は、棚板本体３よりも強固な木材で形成された横長の部材であり、上面材２ａ及び下面材２ｂで挟むことにより、棚板本体３と一体的に構成されている。連結部材４の底面には、下方に開口した断面略コの字の框係合溝７が左右方向に連続して形成されており、さらに框係合溝７の頂面よりも下方に突出したフック部６が、框係合溝７と並行して連続的に形成されている。なお、フック部６の前面には、前方に向って上り傾斜した傾斜部５が形成されている。すなわちフック部６は、前後方向の幅が下側ほど細くなるように形成されている。この傾斜部５により、フック部６を棚板係合溝１１（後述する）に嵌合させる際に、円滑な挿入が可能となる。
【００２０】
一方、前框１０は、略直方体形状を呈しているが、その上面の後側には、上方に開口した棚板係合溝１１と、棚板係合溝１１の溝底よりも上方に突出した突出部１２と、棚板係合溝１１の溝底よりも下側に切欠かれた棚板支持部１３とが、前側から後側に向って順に形成されている。ここで、前框１０が本発明の框に相当する。
【００２１】
棚板係合溝１１は、棚板１のフック部６が挿入される部分であり、フック部６の先端における前後方向の幅よりも僅かに広く形成されている。つまり、フック部６を棚板係合溝１１に挿入すると、フック部６の後壁面が突出部１２の前壁面に当接し、且つ棚板１における上面材２ａの前端が前框１０の上面角部１０aに当接した状態となる。すなわち、フック部６を前後方向に移動させることができなくなる。
【００２２】
突出部１２は、棚板１の框係合溝７に挿入する部分であり、前後方向の幅は、框係合溝７における前後方向の幅と略一致した大きさとなっている。つまり、突出部１２を框係合溝７に挿入すると、框係合溝７に嵌合した状態となり、突出部１２を前後方向に移動させることができなくなる。
【００２３】
棚板支持部１３は、棚板１の一端側を支持する部分であり、左右方向に連続した平面形状となっている。なお、本例では、棚板係合溝１１、突出部１２、及び棚板支持部１３における前後方向の幅は略等しく、例えば７ｍｍに設定されている。
【００２４】
また、これらの係合部分及び支持部分における高さ方向の寸法を例示すると、棚板１の底面１４に対する框係合溝７の頂面の高さ（L１）は約１８ｍｍ、棚板支持部１３に対する突出部１２の上面の高さ（M１）は約１７ｍｍとなっており、框係合溝７の頂面と突出部１２の上面との間には約１ｍｍの隙間が設けられている。また、棚板１の底面１４に対するフック部６の底面の高さ（L２）は約１３ｍｍ、棚板支持部１３に対する棚板係合溝１１の溝底の高さ（M２）は約１２ｍｍとなっており、フック部６の底面と棚板係合溝１１の溝底との間には約１ｍｍの隙間が形成されている。
【００２５】
一方、後框２０は、棚板１の底面１４の後端側を支持するものであり、直方体形状の横長部材から構成されている。なお、後框２０は、前框１０のような係合に係る部分を備えておらず、上面全体において下面材２ｂと当接している。なお、棚板１の後端側には、板厚の薄い部分が存在しないため、棚板１の荷重によって力が加わっても、亀裂や破損が生じる恐れはない。
【００２６】
次に、棚板支持構造Ａの組付方法及び作用を説明する。まず、前框１０及び後框２０を、収納庫２１の側壁２４に釘やビス等の締結具によって取り付ける。そして、前框１０及び後框２０の上方から棚板1を落とし込む。すると、棚板１の前端側が前框１０に対して係合される。具体的には、棚板１のフック部６が棚板係合溝１１に挿入されるとともに、前框１０の突出部１２が框係合溝７に挿入されることにより、フック部６における前後の壁面が棚板係合溝１１における前後の内壁面に当接し、且つ突出部１２における前後の壁面が框係合溝７における前後の内壁面に当接する。これにより、フック部６及び框係合溝７の動きが規制され、棚板１の前後方向への移動が阻止される。
【００２７】
また、前框１０に対して連結部材４を係合させると、棚板１の底面１４が棚板支持部１３に当接する。なお、框係合溝７の頂面と突出部１２の上面との間、及びフック部６の底面と棚板係合溝１１の溝底との間には隙間が形成されるため、棚板１の荷重は、全て棚板支持部１３で受止められる。換言すれば、荷重の反作用によって生じる棚板１への力は、框係合溝７やフック部６に加わらず、全て棚板１の底面１４に加わることになる。特に、棚板１の底面１４には、底面１４全体に亘って接着された下面材２bが設けられているため、加わる力は底面１４全体に分散される。
【００２８】
このように、上記実施形態の棚板支持構造Ａによれば、棚板１において板厚が薄くなる部分、すなわち框係合溝７が設けられた部分に対して、棚板１の荷重による力が全く加わらないことから、この部分の破損を防ぎ、棚板１の耐久性を大幅に向上させることができる。
【００２９】
次に、本発明の第二実施形態について図４に基づき説明する。図４は拡張式テーブル３０の斜視図である。拡張式テーブル３０は天板３１と、天板３１の長手方向の両端部に蝶番３３を介して連結された拡張部３２と、天板３１の底面四隅から垂下された脚部４０とから構成されている。なお、脚部４０は環状に組まれた横桟によって補強されている。また、蝶番３３は、天板３１の長手方向の端部に設けられ、マルチリンク式の構造になっている。すなわち、天板３１の端部と拡張部３２の端部とを連結し、拡張部３２をＸ位置（後述する）とＹ位置との間で回動可能に支持している。
【００３０】
天板３１における長手方向の両端部には、夫々拡張部係合溝３７と突出部３８と支持部３９とが形成されている。ここで、天板３１が本発明の框に相当し、それに形成された拡張部係合溝３７、突出部３８、及び支持部３９が、夫々本発明の棚板係合溝、突出部、及び棚板支持部に相当する。なお、拡張部係合溝３７、突出部３８、及び支持部３９の構成は、第一実施形態における棚板係合溝１１、突出部１２、及び棚板支持部１３と略同様の構成であるため、これらについての詳細な説明は省略する。
【００３１】
一方、拡張部３２における天板３１との連結部分には、フック部３５及び天板係合溝３６が形成されている。ここで、拡張部３２が本発明の棚板に相当し、フック部３５及び天板係合溝３６が、夫々本発明のフック部及び框係合溝に相当する。つまり、フック部３５が拡張部係合溝３７に挿入され、突出部３８が天板係合溝３６に挿入されることにより、フック部３５及び突出部３８が水平方向において係合し、天板３１及び拡張部３２が互いに連結された状態となる。
【００３２】
また、天板３１及び拡張部３２が連結した場合、拡張部３２の底面が支持部３９に当接し、これにより、拡張部３２の一端側が支持される。すなわち、拡張部３２がＹ方向に回動することが阻止される。なお、拡張部３２の底面４１に対する天板係合溝３６の頂面の高さは、支持部３９に対する突出部３８の上面の高さよりも高くなるように設定されている。また、拡張部３２の底面４１に対するフック部３５の底面の高さは、支持部３９に対する拡張部係合溝３７の溝底の高さよりも高くなるように設定されている。このため、拡張部３２が支持部３９に支持された状態では、天板係合溝３６の頂面と突出部３８の上面との間、及びフック部３５の底面と拡張部係合溝３７の溝底との間には夫々隙間が形成され、互いに当接しない状態となる。
【００３３】
次に、拡張式テーブル３０の収納・展開方法を説明する。拡張部３２は、天板３１から延出された位置（Ｘ位置とする）と、脚部４０に沿って収納された位置（Ｙ位置とする）との間で、蝶番３３を介して回動可能に支持されている。Y位置（実線で示す状態）からX位置（点線で示す位置）に変更する場合、すなわち拡張部３２を展開する場合には、収納された拡張部３２を、蝶番３３を回転中心にして上方に持ち上げて、天板３１の端部に設けられた拡張部係合溝３７に拡張部３２の端部に形成されたフック部３５を引っ掛けるようにして嵌め込む。すると、天板係合溝３６と突出部３８とが嵌合し、またフック部３５と拡張部係合溝３７とが嵌合する。また、拡張部３２の底面４１が支持部３９に当接し支持される。これにより、拡張部３２は天板３１の延長上に配置され、載置面が拡張した状態となる。
【００３４】
一方、拡張部３２を、Ｘ位置からＹ位置に変更する場合、すなわち拡張部３２を収納する場合には、天板３１の拡張部係合溝３７からフック部３５を上方に引き上げて外す。すると、拡張部３２は回動できるようになるため、蝶番３３を中心としてＹ位置まで下げる。これにより、拡張部３２は脚部４０に沿って収納された状態となる。
【００３５】
このように、拡張部３２は、Ｘ位置とＹ位置との間で回動し、必要に応じて形態を変えることができる。また、Ｘ位置の状態において、拡張部３２の荷重による鉛直下向きの力は、支持部３９のみに加わり、その反作用によって生じる力は、拡張部３２の底面４１のみに加わるようになる。換言すれば、拡張部３２における板厚の薄い部分すなわち天板係合溝３６が形成された部分には荷重による力が加わらないことから、この部分の破損を防止することができる。なお、拡張部３２の他端側が支持されてないことから、フック部３５及び突出部３８には、拡張部３２の荷重によって回動方向の力が加わるようになり、フック部３５または突出部３８を破損させる可能性がある。しかしながら、拡張部３２に対する支持部３９の相対面積をさらに大きくすれば、回動方向の力を抑制することができ、フック部３５及び突出部３８の破損を防止することが可能になる。
【００３６】
次に、本発明の第三実施形態について図５に基づき説明する。図５は折畳式机５０の斜視図である。折畳式机５０は天板５１と、天板５１の長手方向の両端側を支持する前框５２及び後框５３と、前框５２及び後框５３を夫々支持する脚部５４とから構成されている。なお、脚部５４は、回り対偶５５で固定されたパンタグラフ構造となっている。
【００３７】
天板５１において前框５２と係合する側には、フック部５９と前框係合溝６０とが形成されている。ここで、天板５１が本発明の棚板に相当し、これに形成されたフック部５９と前框係合溝６０とが、夫々本発明のフック部及び框係合溝に相当する。天板５１は、他端側が軸支された回動式の構造になっており、この軸側の端部６４が半円形状に形成されている。また、天板５１には左右方向に貫通するガイド溝５７が設けられ、そのガイド溝５７の内部には天板５１を回動可能に支持する回転軸５６が配設されている。またフック部５９を備える側の端部には回転軸５６を係止するための凹状の係止部５８が形成されている。
【００３８】
前框５２は、天板５１の底面を支える天板支持部６３と、天板５１を係合するための天板係合溝６１と、突出部６５とを備えている。ここで、前框５２が本発明の框に相当し、また、天板係合溝６１、突出部６５、及び天板支持部６３が、夫々本発明の棚板係合溝、突出部、及び棚板支持部に相当する。つまり、天板支持部６３は天板５１にかかる荷重を支持する部位である。特に、フック部５９の底面及び天板係合溝６１の溝底と、前框係合溝６０の頂面及び突出部６５の上面との間には、夫々隙間を有しており、互いに当接していない。すなわち、フック部５９及び前框係合溝６０には前後方向に働く力のみが作用し、荷重は直接加わらない。尚、天板支持部６３、天板係合溝６１、及び突出部６５の構成は、第一実施形態における棚板係合溝１１、突出部１２、及び棚板支持部１３と略同様の構成であるため、これらの詳細な説明は省略する。
【００３９】
後框５３は、略直方体形状を呈しており、天板５１の他端側である端部６４の下面を支持している。さらに天板５１の回動による端部６４の周面が当接するように構成されている。回転軸５６は後框５３の略上方に位置し、天板５１の左右方向の略中央付近が締結具（図示しない）によって後框５３に取付けられている。また、回転軸５６の直径は、ガイド溝５７の幅と略同等になっている。
【００４０】
次に、折畳式机５０の収納・展開方法について説明する。通常使用するときは、図５に示すような展開した状態となっている。天板５１は、後框５３の上方に取付けられた回転軸５６を回転中心とした回動式になっている。この折畳式机５０を収納状態にするには、天板５１の一端側にある、前框５２と係合しているフック部５９を外し、さらに天板５１を上方に持ち上げて回動させる。この回動動作により天板５１は、後框５３の後側を滑動しながら移動する。さらに天板５１が回動すると、後框５３の外側で鉛直状態になることによって垂下する。この回動動作にともない、ガイド溝５７内に位置する回転軸５６は、天板５１のフック部５９の方へ相対的に移動する。つまり、天板５１が垂下することにより、回転軸５６が天板５１の一端側から他端側へ移動して係止部５８に収まる。そして回り対偶５５を中心にして脚部５４を内側に閉じると、折畳式机５０は収納状態となる。また、折畳式机５０を収納状態から展開するには、上記とは逆の手順によって折畳式机５０を広げる。つまり係止部５８に収まっている回転軸５６を外して、垂下している天板５１を上方に移動させる。すると、円形端部６４側へ回転軸５６が相対的に移動して、天板５１が上方に持ち上がる。そして、回転軸５６が端部６４に位置してから天板５１を鉛直方向から水平方向に回動させることで、天板５１の一端側に形成されたフック部５９が前框５２の上方から嵌め込まれて係合する。すると、斜面部６２を有するフック部５９と天板係合溝６１とが、また、前框係合溝６０と突出部６５とが夫々嵌合する格好となり、天板支持部６３が天板５１の底面を支持する状態になる。このように折畳式机５０を使用する状態では、天板支持部６３と後框５３とによって荷重が支えられる。このとき、前述したフック部５９の底面と天板係合溝６１の溝底、及び前框係合溝６０の頂面と突出部６５の上面との間には夫々隙間が形成され互いに当接しなくなる。これにより、荷重が加わらなくなり溝部分の破損を防止することができる。
【００４１】
以上、本発明について好適な実施形態を挙げて説明したが、本発明はこの実施形態に限定されるものではなく、以下に示すように、本発明の要旨を逸脱しない範囲において、種々の改良及び設計の変更が可能である。
【００４２】
第一実施形態では、前框１０に形成された棚板係合溝１１によって棚板１を係合させるものを示したが、後框２０にも棚板係合溝を形成し、前框１０及び後框２０の両方で棚板１を係合させるようにしてもよい。これによれば、棚板１の前後方向への係合状態を前框１０の棚板係合溝１１だけでなく、後框２０の棚板係合溝によって補うことが可能になり、保持力を強化することができる。
【００４３】
第一実施形態では、前框１０及び後框２０に対して棚板１を取り外し可能に装着するものを示したが、前框１０及び後框２０に対し棚板１を接着剤またはビス等によって固定させるようにしてもよい。これによれば、棚板１の浮き上がりや脱落防止をすることが可能になる。
【００４４】
第一実施形態では、棚板本体３をハニカム構造にしたものを示したが、棚板１全部を一つの部材から一体的に構成してもよい。ただし、上記第一実施形態のように、棚板本体３をハニカム構造にすれば軽量化が可能となり、棚板１自体の重量の低減により連結部材４の負荷をより一層少なくすることができる。
【００４５】
第一実施形態乃至第三実施形態では、連結部材を木材で形成するものを示したが、材料は限定されるものではなく、金属やＦＲＰ、ＡＢＳ樹脂等のプラスチックによって連結部材を形成してもよい。
【００４６】
第三実施形態では、折畳式机５０を例に挙げて示したが、前框５２の外側から上方に伸びるように背もたれを備えた同構造の折畳式椅子に適用してもよい。
【図面の簡単な説明】
【００４７】
【図１】本発明の第一実施形態である棚板支持構造を示す断面図である。
【図２】本発明の第一実施形態である棚板支持構造において、棚板と前框とを分解した状態を示す要部分解斜視図である。
【図３】本発明の第一実施形態を示す収納庫の要部の構成を示す斜視図である。
【図４】本発明の第二実施形態を示す拡張式テーブルの斜視図である。
【図５】本発明の第三実施形態を示す折畳式机の斜視図である。
【図６】従来の棚板支持構造を示す断面図である。
【図７】従来の他の棚板支持構造を示す断面図である。
【符号の説明】
【００４８】
１  棚板
２  表面部材
２ａ  上面材
２ｂ  下面材
３  棚板本体
４  連結部材
６，３５，５９  フック部
７  框係合溝
１０  前框（框）
１１  棚板係合溝
１２，３８，６５  突出部
１３  棚板支持部
１４  底面
３２  拡張部（棚板）
３６  天板係合溝（框係合溝）
３７  拡張部係合溝（棚板係合溝）
３９  支持部（棚板支持部）
５１  天板（棚板）
５２  前框（框）
６０  前框係合溝（框係合溝）
６１  天板係合溝（棚板係合溝）
６３  天板支持部（棚板支持部）
【図１】
2005054426.tif 000003
【図２】
2005054426.tif 000004
【図３】
2005054426.tif 000005
【図４】
2005054426.tif 000006
【図５】
2005054426.tif 000007
【図６】
2005054426.tif 000008
【図７】
2005054426.tif 000009